(57)【特許請求の範囲】
【請求項１】
少なくとも一つのサーバーサイドを備える美爪装置であって、
少なくとも一つのインテリジェント端末を備え、少なくとも一つの測量エアブラシ装置を備え、
前記インテリジェント端末は前記測量エアブラシ装置と接続され、
前記インテリジェント端末は少なくとも一つの美爪応用モジュールを備え、前記美爪応用モジュールは少なくとも一つのエアブラシ管理モジュールを備え、
前記測量エアブラシ装置はペンキ塗り機構を備え、前記ペンキ塗り機構はペンキを爪の表面にペンキ塗りし、
前記サーバーサイドと／又はインテリジェント端末は爪三次元形態計算モジュールを備え、前記爪三次元形態計算モジュールは爪の三次元形態を測量し、
前記インテリジェント端末はサーバーサイドに爪の図像と／又はレーザースポット図像をアップロードし、
前記サーバーサイドはペンキ塗り実施方案生成モジュールを備え、
前記インテリジェント端末はサーバーサイドからペンキ塗り実施方案をダウンロードすることができ、
前記エアブラシ管理モジュールは、ペンキ塗り機構が美爪パターンを爪にペンキ塗りするように制御し、
前記サーバーサイドは少なくとも一つの爪パターンベースを備え、前記爪パターンベースは、少なくとも一つの無料ベース、少なくとも有料ベースおよびユーザーアップロードベースを含み、無料ベース、有料ベースおよびユーザーアップロードベースとのデータはお互いに伝送することを特徴とする美爪装置。
【請求項２】
少なくとも一つのサーバーサイドを備える美爪装置であって、
少なくとも一つのインテリジェント端末を備え、少なくとも一つの測量エアブラシ装置を備え、
前記インテリジェント端末は前記測量エアブラシ装置と接続され、
前記インテリジェント端末は少なくとも一つの美爪応用モジュールを備え、前記美爪応用モジュールは少なくとも一つのエアブラシ管理モジュールを備え、
前記測量エアブラシ装置は、少なくとも一つのミラーアセンブリ、前記ミラーアセンブリは少なくとも一つのミラーと／又はプリズムを備え、前記ミラーと／又はプリズムは爪の回りに配置され、前記ミラーは爪の像をカメラに反射し、
前記サーバーサイドと／又はインテリジェント端末は爪三次元形態計算モジュールを備え、前記爪三次元形態計算モジュールは爪の三次元形態を測量し、
前記エアブラシ管理モジュールは、ペンキ塗り機構が美爪パターンを爪にペンキ塗りするように制御することを特徴とする美爪装置。
【請求項３】
少なくとも一つのサーバーサイドを備える美爪装置であって、
少なくとも一つのインテリジェント端末を備え、少なくとも一つの測量エアブラシ装置を備え、
前記インテリジェント端末は前記測量エアブラシ装置と接続され、
前記インテリジェント端末は測量エアブラシ装置に置かれて固定され、
前記測量エアブラシ装置に一つの光学窓が設けられ、光線は窓から透過して、インテリジェント端末のカメラに照射し、
前記インテリジェント端末は少なくとも一つの美爪応用モジュールを備え、前記美爪応用モジュールは少なくとも一つのエアブラシ管理モジュールを備え、
前記測量エアブラシ装置はペンキ塗り機構を備え、前記ペンキ塗り機構はペンキを爪の表面にペンキ塗りし、
前記サーバーサイドと／又はインテリジェント端末は爪三次元形態計算モジュールを備え、前記爪三次元形態計算モジュールは爪の三次元形態を測量し、
前記エアブラシ管理モジュールは、ペンキ塗り機構が美爪パターンを爪にペンキ塗りするように制御することを特徴とする美爪装置。
【請求項４】
少なくとも一つのサーバーサイドを備える美爪装置であって、
少なくとも一つのインテリジェント端末を備え、少なくとも一つの測量エアブラシ装置を備え、
前記インテリジェント端末は前記測量エアブラシ装置と接続され、
前記インテリジェント端末は少なくとも一つの美爪応用モジュールを備え、前記美爪応用モジュールは少なくとも一つのエアブラシ管理モジュールを備え、
前記測量エアブラシ装置はペンキ塗り機構を備え、前記ペンキ塗り機構はペンキを爪の表面にペンキ塗りし、
前記サーバーサイドと／又はインテリジェント端末は爪三次元形態計算モジュールを備え、前記爪三次元形態計算モジュールは爪の三次元形態を測量し、
前記エアブラシ管理モジュールは、ペンキ塗り機構が美爪パターンを爪にペンキ塗りするように制御し、
ペンキ塗り過程において、測量管理モジュールは実時に位置決め点の位置を識別して、位置決め点の位置が変化すると、前記測量管理モジュールは位置決め点の変化量を識別して、実時にペンキ塗り実施方案生成モジュールに転送し、前記ペンキ塗り実施方案生成モジュールは実時の爪の位置により、改めてペンキ塗り実施方案を算出することを特徴とする美爪装置。
【請求項５】
少なくとも一つのサーバーサイドを備える美爪装置であって、
少なくとも一つのインテリジェント端末を備え、少なくとも一つの測量エアブラシ装置を備え、
前記インテリジェント端末は前記測量エアブラシ装置と接続され、
前記インテリジェント端末は少なくとも一つの美爪応用モジュールを備え、前記美爪応用モジュールは少なくとも一つのエアブラシ管理モジュールを備え、
前記測量エアブラシ装置はペンキ塗り機構を備え、前記ペンキ塗り機構はペンキを爪の表面にペンキ塗りし、
前記サーバーサイドと／又はインテリジェント端末は爪三次元形態計算モジュールを備え、前記爪三次元形態計算モジュールは爪の三次元形態を測量し、
前記エアブラシ管理モジュールは、ペンキ塗り機構が美爪パターンを爪にペンキ塗りするように制御し、
爪情報採集モジュールは実時にペンキされた爪パターンの完成情況を採集し、前後の二枚の爪ペンキ塗りパターンにより爪が変移するかどうかを判断し、爪が変移すると、ペンキ塗り実施方案生成モジュールは爪の位置の変化とパターンの完成情況により実時にエアブラシ実施方案を調製することを特徴とする美爪装置。
【請求項６】
少なくとも一つの健康管理モジュールを備え、前記健康管理モジュールはインテリジェント端末にアップロードされたユーザー爪の三次元形態情報を受信し、
前記健康管理モジュールは爪の三次元形態情報によりユーザーの健康情況を判断する、美爪装置。
【請求項７】
少なくとも一つのユーザー管理モジュールを備え、前記ユーザー管理モジュールは、ユーザーの個人特徴と／又は健康情況、と／又は美爪応用の特徴の使用、と／又は発送情報に対する反応により、ユーザーに対してビッグデータ分析をしてユーザーの好き好みと／又は消費需要を判断し、
前記ユーザー管理モジュールは少なくとも一つの情報プッシュモジュールを備え、前記情報プッシュモジュールはユーザーの好き好みと／又は消費需要により前記インテリジェント端末の前記美爪応用に前記ユーザーの好き好みと／又は消費需要に対する情報をプッシュする請求項1〜5のいずれか一項に記載の美爪装置。
【請求項８】
a．インテリジェント端末と測量エアブラシ装置を接続するステップ、
ｂ．インテリジェント端末における美爪応用モジュールを起動し、美爪応用モジュールとサーバーサイドとを接続するステップ、
ｃ．ユーザーは美爪応用モジュールのヒューマンコンピュータインタラクション管理モジュールによりサーバーサイドの爪パターンベースにおける美爪パターンをブラウズサーして美爪パターンを選択するステップ、
ｄ．ユーザーは指を測量エアブラシ装置において、美爪応用モジュールは爪情報採集モジュールが爪の情報を採集するように制御するステップ、
e．美爪応用モジュールはユーザー爪情報を爪三次元形態計算モジュールに伝送するステップ、
ｆ．爪三次元形態計算モジュールはユーザー爪の三次元形態を算出して、三次元形態情報をペンキ塗り実施方案生成モジュールに伝送するステップ、
ｇ．ペンキ塗り実施方案生成モジュールはユーザー爪の三次元形態とユーザーが選択した美爪パターンによりペンキ塗り実施方案を算出して、ペンキ塗り実施方案をインテリジェント端末に搭載された美爪応用モジュールにおけるエアブラシ管理モジュールに伝送するステップ、
ｈ．エアブラシ管理モジュールは測量エアブラシ装置が爪パターンのペンキ塗りをするように制御するステップを備え、
ただし、aステップは、ｂステップ又はｃステップの後に実行できて、ｃステップとｄ、e、ｆステップの順序も交換できることを特徴とする請求項1〜5のいずれか一項に記載の美爪装置に基づく美爪方法。
【請求項９】
a．爪の回りの皮膚と／又は爪に少なくとも二つの位置決め点が配置されるステップ、
ｂ．エアブラシを実施する過程において実時に位置決め点の位置が元の位置に対する変化を測量して、爪の位置が変化するかどうかを判断するステップ、
ｃ．爪の位置が変化すると、エアブラシ実施方案を調整するステップを備えることを特徴とする請求項1〜7のいずれか一項に記載の美爪装置に基づく美爪方法。
【請求項１０】
a．インテリジェント端末と測量エアブラシ装置を接続するステップ、
ｂ．インテリジェント端末における美爪応用モジュールを起動し、美爪応用モジュールとサーバーサイドとを接続するステップ、
ｃ．ユーザーは指を測量エアブラシ装置において、美爪応用モジュールは爪情報採集モジュールが爪の情報を採集するように制御するステップ、
ｄ．美爪応用モジュールはユーザー爪情報をサーバーサイドの爪三次元形態計算モジュールに伝送するステップ、
e．爪三次元形態計算モジュールはユーザー爪の三次元形態を算出して、三次元形態情報を健康管理モジュールに伝送するステップ、
ｆ．健康管理モジュールはユーザー爪の三次元形態によりユーザーの健康情況を判断するステップを備え、
ただし、a、ｂステップの順序は交換でき、eステップが省略できることを特徴とする請求項6に記載の美爪装置に基づく健康管理方法。
【請求項１１】
美爪装置に基づく情報プッシュ方法は、以下のステップ：
a．インテリジェント端末における美爪応用モジュールを起動して、美爪応用モジュールとサーバーサイドとを接続するステップ、
b．情報プッシュモジュールは、ユーザーの好き好みと／又は消費需要により前記インテリジェント端末の美爪応用に前記ユーザーの好き好みと／又は消費需要に対する情報をプッシュするステップを備えることを特徴とする請求項1〜7のいずれか一項に記載の美爪装置に基づく情報プッシュ方法。
【請求項１２】
aステップの後に、また
a1．ユーザーがサーバーサイドのユーザー管理モジュールに登録するステップを備えることを特徴とする請求項11に記載の情報プッシュ方法。
【請求項１３】
ｂステップの前に、また
ｂ1．ユーザー管理モジュールはユーザーの個人特徴と／又は健康情況、と／又は前記美爪応用の特徴、と／又は発送された情報に対する反応に対してビッグデータ分析をしてユーザーの好き好みと／又は消費需要を判断するステップを備えることを特徴とする請求項11又は12に記載の情報プッシュ方法。
【請求項１４】
インテリジェント端末はサーバーサイドに爪の図像と／又はレーザースポット図像をアップロードし、サーバーサイドは爪の図像により爪の三次元形態情報を生成するS1、
少なくとも一つの美爪パターン情報を確定するS2、
サーバーサイドのペンキ塗り実施方案生成モジュールは前記爪の三次元形態情報と前記少なくとも一つの美爪パターン情報に基づいてエアブラシ制御情報を生成するS3、
前記インテリジェント端末はサーバーサイドからペンキ塗り実施方案をダウンロードすることができ、前記エアブラシ制御情報によりエアブラシ装置が前記美爪パターンのペンキ塗りの操作を実行するS4を備えることを特徴とし、前記美爪パターンはサーバーサイドの爪パターンベースに記憶され、サーバーサイド端末は少なくとも一つの爪パターンベースを備え、前記爪パターンベースは、少なくとも一つの無料ベース、少なくとも一つの有料ベースおよび少なくとも一つのユーザーアップロードベースを含み、無料ベース、有料ベースおよびユーザーアップロードベースとのデータはお互いに伝送する、爪の三次元形態に基づく美爪方法。
【請求項１５】
爪の三次元形態情報を取得するS1、
少なくとも一つの美爪パターン情報を確定するS2、
前記爪の三次元形態情報と前記少なくとも一つの美爪パターン情報に基づいてエアブラシ制御情報を生成するS3、
前記エアブラシ制御情報によりエアブラシ装置が前記美爪パターンのペンキ塗りの操作を実行し、エアブラシ実施過程においては、爪情報採集モジュールは実時にペンキされた爪パターンの完成情況を採集し、前後の二枚の爪ペンキ塗りパターンにより爪が変移するかどうかを判断し、爪が変移すると、爪の位置の変化とパターンの完成情況により実時にエアブラシ過程を調整するS4を備える、爪の三次元形態に基づく美爪方法。
【請求項１６】
美爪装置であって、
少なくとも一つのインテリジェント端末と、少なくとも一つの測量エアブラシ装置と、少なくとも一つのサーバーサイドを備え、
前記インテリジェント端末は前記測量エアブラシ装置と接続され、前記インテリジェント端末は前記サーバーサイドと接続され、
前記インテリジェント端末は少なくとも一つの美爪応用モジュールを備え、前記美爪応用モジュールは少なくとも一つの測量管理モジュールを備え、
前記美爪装置は少なくとも一つの爪情報採集モジュールを備え、前記爪情報採集モジュールは前記インテリジェント端末のカメラと／又は前記測量エアブラシ装置のカメラを備え、前記爪情報採集モジュールは前記測量管理モジュールを備え、
前記爪情報採集モジュールは爪の図像を撮影し、
前記美爪応用モジュールと／又は前記サーバーサイドは前記爪情報採集モジュールに撮影した爪の図像により爪の三次元形態を算出し、
サーバーサイド端末は少なくとも一つの爪パターンベースを備え、前記爪パターンベースは、少なくとも一つの無料ベース、少なくとも一つの有料ベース及び少なくとも一つのユーザーアップロードベースを含み、無料ベース、有料ベース及びユーザーアップロードベースとのデータはお互いに伝送し、
前記インテリジェント端末はサーバーサイドに爪の図像と／又はレーザースポット図像をアップロードし、
前記サーバーサイドはエアブラシ実施方案生成モジュールを備え、ユーザーが選定した美爪パターンと爪の三次元形態によりペンキ塗り実施方案により実施方案を生成し、
前記インテリジェント端末はサーバーサイドからペンキ塗り実施方案をダウンロードすることができ、
前記測量エアブラシ装置は少なくとも一つのペンキ塗り実行機構を備え、
前記美爪応用モジュールは、少なくとも一つのエアブラシ管理モジュールを備え、前記エアブラシ管理モジュール、ペンキ塗り実施方案により前記測量エアブラシ装置のペンキ塗り実行機構が爪に美爪パターンのペンキ塗りを実現するように制御することを特徴とする美爪装置。
【請求項１７】
美爪装置であって、
少なくとも一つのインテリジェント端末と、少なくとも一つの測量エアブラシ装置と、少なくとも一つのサーバーサイドを備え、
前記インテリジェント端末は前記測量エアブラシ装置と接続され、前記インテリジェント端末は前記サーバーサイドと接続され、
前記インテリジェント端末は少なくとも一つの美爪応用モジュールを備え、
前記美爪装置は少なくとも一つの爪情報採集モジュールを備え、前記爪情報採集モジュールは爪の図像を撮影し、
前記測量エアブラシ装置は、少なくとも一つのミラーアセンブリ、前記ミラーアセンブリは少なくとも一つのミラーと／又はプリズムを備え、ミラーと／又はプリズムは爪の回りに配置され、ミラーは爪の像をカメラに反射し、
前記美爪応用モジュールと／又は前記サーバーサイドは前記爪情報採集モジュールに撮影した爪の図像により爪の三次元形態を算出し、
サーバーサイド端末は少なくとも一つの爪パターンベースを備え、
前記美爪応用モジュールはと／又は前記サーバーサイドは、ユーザーが選定した前記爪パターンベースにおける美爪パターンとユーザー爪の三次元形態によりペンキ塗り実施方案を生成し、
前記測量エアブラシ装置は少なくとも一つのペンキ塗り実行機構を備え、
前記美爪応用モジュールは、少なくとも一つのエアブラシ管理モジュールを備え、前記エアブラシ管理モジュール、ペンキ塗り実施方案により前記測量エアブラシ装置のペンキ塗り実行機構が爪に美爪パターンのエアブラシと／又はペンキ塗りを実現するように制御することを特徴とする美爪装置。
【請求項１８】
美爪装置であって、
少なくとも一つのインテリジェント端末と、少なくとも一つの測量エアブラシ装置と、少なくとも一つのサーバーサイドを備え、
前記インテリジェント端末は前記測量エアブラシ装置と接続され、前記インテリジェント端末は前記サーバーサイドと接続され、
インテリジェント端末は測量エアブラシ装置に置かれて固定され、
測量エアブラシ装置に一つの光学窓が設けられ、光線は窓から透過して、インテリジェント端末のカメラに照射し、
前記インテリジェント端末は少なくとも一つの美爪応用モジュールを備え、
前記美爪装置は少なくとも一つの爪情報採集モジュールを備え、
前記爪情報採集モジュールは爪の図像を撮影し、
前記美爪応用モジュールと／又は前記サーバーサイドは前記爪情報採集モジュールに撮影した爪の図像により爪の三次元形態を算出し、
サーバーサイド端末は少なくとも一つの爪パターンベースを備え、
前記美爪応用モジュールはと／又は前記サーバーサイドは、ユーザーが選定した前記爪パターンベースにおける美爪パターンとユーザー爪の三次元形態によりペンキ塗り実施方案を生成し、
前記測量エアブラシ装置は少なくとも一つのペンキ塗り実行機構を備え、
前記美爪応用モジュールは、少なくとも一つのエアブラシ管理モジュールを備え、前記エアブラシ管理モジュール、ペンキ塗り実施方案により前記測量エアブラシ装置のペンキ塗り実行機構が爪に美爪パターンのエアブラシと／又はペンキ塗りを実現するように制御することを特徴とする美爪装置。
【発明の詳細な説明】
【技術分野】
【０００１】
本発明は美容装置及び美容装置に基づく美容方法、健康管理方法、情報プッシュ方法に関わり、特に美爪装置及び美爪装置に基づく美爪方法、健康管理方法、情報プッシュ方法に関わる。
【背景技術】
【０００２】
従来のデジタル美爪器は、表示装置、撮影装置、エアブラシ装置、制御装置、CPU、記憶装置などのモジュールのソフトウェアとハードウェアを一体にした複雑な構造である。デジタル美爪器には多くの美爪パターンを有する。パターンは表示装置に表示され、ユーザーは表示装置によりパターンを選択できる。ユーザーがパターンを選択した後に、美爪器の撮影装置は多角度から爪の写真を撮影してから、爪の三次元形態を算出している。爪の三次元形態により美爪器は爪にパターンをエアブラシして形成している。
【０００３】
従来のデジタル美爪器は値段が高くて、体積が大きいので、美爪の専門店だけで使用されている。
【発明の概要】
【課題を解決するための手段】
【０００４】
本発明の目的はモバイル・インターネットとインテリジェント端末に基づく安価な美爪装置及びこの装置によって美爪を実現する方法、健康管理の方法と情報プッシュの方法を提供する。
【０００５】
本発明の美爪装置は、少なくとも一つのインテリジェント端末、少なくとも一つの測量エアブラシ装置、インターネットに配置された少なくとも一つのサーバーサイドを有する。インテリジェント端末は、スマートフォン、タブレット及びほかのインテリジェント端末を有する。インテリジェント端末は無線と/は、また有線の方法により測量エアブラシ装置に情報を発送している。インテリジェント端末は無線と/は、また有線の方法により、インターネットで遠隔のサーバーサイドと情報を発送して交換している。本発明の測量エアブラシ装置はペンキ塗り機構を有し、ペンキ塗り機構はペンキを爪の表面にペンキ塗りする。ペンキ塗り機構はペンキ塗り実行機構を有し、ペンキ塗り実行機構はペンキの微小液滴を噴出するノズルと／又はブラシを備え、ペンキ塗り実行機構を駆動する駆動機構をも備え、駆動機構はノズルと／又はブラシを駆動して三次元空間で移動し、回転して、ペンキを爪の表面にペンキ塗りする。ペンキ塗り機構はペンキ及び補助機構をも備える。本発明の測量エアブラシ装置は、少なくとも一つのミラーアセンブリ、ミラーアセンブリは少なくとも一つのミラーと／又はプリズムを備える。複数のミラーと／又はプリズムは爪の回りに異なる箇所に配置され、ミラー同士に角度が形成される。複数のミラーは複数の異なる角度から爪の像を反射して、複数の異なる角度の爪の像を一つの画面に統括して、インテリジェント端末のカメラに同時に反射する。そこで、インテリジェント端末のカメラは一つの画像、即ちち一枚の写真に爪の多角度の影像を記録することができる。測量エアブラシ装置は少なくとも一つのインテリジェント端末の止め機構を備え、インテリジェント端末はインテリジェント端末の止め機構に固定されて、カメラがミラーの図像を受信する箇所に位置させる。測量エアブラシ装置はレーザー走査機構を備える。レーザー走査機構は少なくとも一つの線状と／又は点状レーザー発生装置を備える。レーザー走査機構は少なくとも一つの駆動機構を備え、駆動機構はレーザー発生装置が線状移動と／又は回転移動するようにして、レーザースポットがユーザーの爪を走査する。レーザースポット影像はミラーアセンブリよりカメラに反射され、カメラは一枚のレーザー影像を撮る。線状レーザー又は点状レーザーの移動により、カメラは所定の時間間隔で順次に複数枚のレーザースポット写真を撮る。レーザー走査機構は一つの網状レーザー発生装置を備え、メッシュ状のレーザーパターンを形成することができる。メッシュ形態は長方形や三角形や六辺形などでもいい。網状レーザーは平面に照射するときに、レーザーメッシュパターンは歪まなくて、元の形態を保持する。この元の図像は基準参考図像とすることができる。網状レーザーが爪と指に照射するとき、爪は弧度や段差の変化が存在するので、レーザーメッシュパターンが変形して、変形後のレーザーメッシュパターンは測量図像として撮影する。基準参考図像と測量図像におけるレーザーメッシュを比較して爪の三次元形態を取得する。測量エアブラシ装置は少なくとも一つの赤外線光源を有し、指に写真を撮るときに赤外線照明を提供する。赤外線が爪を透過して爪の下の人体組織を照射して透過するので、カメラは���体組織の赤外線写真を撮って、人体健康の情況を診断する。測量エアブラシ装置は少なくとも一つの指止め機構を備え、指の位置を固定して制限して測量と／又はペンキ塗りをする。測量エアブラシ装置は制御モジュールを備え、制御モジュールはインテリジェント端末とデジタルにより接続され、インテリジェント端末からの制御指令を受信し、他のモジュールが作動するように制御する。制御モジュールはペンキ塗り実施方案を記憶する記憶装置を備えても備えなくてもよい。制御モジュールはペンキ塗り制御モジュールを備え、ペンキ塗り制御モジュールはインテリジェント端末の美爪APPにおけるエアブラシ管理モジュールが発信した制御情報を受信して、ペンキ塗り実行機構における運動機構の運動とノズル、ブラシの作動を制御する。測量エアブラシ装置は一つ又は複数の図像採集装置を備えてもいい。測量エアブラシ装置に配置されたこれらの図像採集装置通過有線又は者無線の方式接続到インテリジェント端末、インテリジェント端末の美爪APPにおける測量管理モジュールから発信する制御情報を受信して、図像採集装置の作動を制御する。測量エアブラシ装置における図像採集装置はインテリジェント端末におけるカメラは図像採集装置を構成する要素である。測量エアブラシ装置はまた紫外線光源を備え、紫外線照射により硬化するペンキ塗り材料の硬化は加速される。本発明における「APP」は、すなわちインテリジェント端末における「応用」である。「美爪APP」はすなわち「美爪応用」である。
【０００６】  インテリジェント端末はタッチパネル、カメラ、ネットサーフィンモジュール、ヒューマンコンピュータインタラクションモジュール 及びCPUの移動端末又は携帯端末を備える。インテリジェント端末は各種のスマートフォン、たとえばAndroid（登録商標）又はiOS操作システムが搭載された3G又は4G携帯電話を備える。インテリジェント端末はまたタブレットやほかのインテリジェント移動端末装置をも備える。インテリジェント端末には少なくとも一つの美爪APPモジュール、即ち美爪応用モジュールが搭載されている。美爪APPモジュールは少なくとも一つの測量管理モジュールを備える。測量管理モジュールはカメラの作動状態を管理し、カメラが指令と／又は所定のシーケンスにより爪の図像と／又はレーザー走査図像を撮って、そしてこれらの図像を他の機能モジュールに発送する。美爪APPモジュールは少なくとも一つのサーバ接続モジュールを備える。サーバ接続モジュールはインテリジェント移動端末装置におけるネットサーフィンモジュールを管理して、サーバーサイドに通信的接続をする。サーバ接続モジュールは美爪APPモジュールにおける各機能モジュールがサーバーサイドと情報を交換するようにする。サーバ接続モジュールはサーバーサイドに爪の図像と／又はレーザースポット図像をアップロードする。サーバ接続モジュールはサーバーサイドから複数の爪パターン。サーバ接続モジュールはサーバーサイドからペンキ塗り実施方案をダウンロードすることができる。美爪APPモジュールは少なくとも一つのヒューマンコンピュータインタラクション管理モジュールを備える。ヒューマンコンピュータインタラクション管理モジュールはインテリジェント端末のパネルとヒューマンコンピュータインタラクション装置を制御する。ヒューマンコンピュータインタラクション管理モジュールはタッチパネルに限らない。ヒューマンコンピュータインタラクション管理モジュールはユーザーが閲覧して、選択するために、パネルにおいて少なくとも一つのサーバーサイドの爪パターンベースからの爪パターンを表示する。ヒューマンコンピュータインタラクション管理モジュールはユーザーが選択した爪パターンを記憶して、選択結果をサーバ接続モジュールによりアップロードされたサーバーサイドの爪パターンベースと接続される。ヒューマンコンピュータインタラクション管理モジュールはユーザーのためにサーバーサイドから取得するコマーシャルなどの情報を展示し、ヒューマンコンピュータインタラクション管理モジュールはユーザーのブラウズなどのインタラクション行為を記憶する。美爪APPモジュールは少なくとも一つのエアブラシ管理モジュールを備える。エアブラシ管理モジュールはサーバーサイドからのペンキ塗り実施方案を受信し、ペンキ塗り実施方案を制御指令に転換する。制御指令はオン／オフー命令、変移命令、及び回転命令を備える。エアブラシ管理モジュールは測量エアブラシ装置の制御モジュールと情報的接続をして、制御指令を制御モジュールに発信する。制御指令は測量エアブラシ装置における各サブモジュール、サブ機構のオン／オフー、駆動機構の変移回転、ペンキ塗り機構のノズルがエアブラシするかどうかなどの制御指令を備える。制御モジュールはこ���らの指令により装置のオン／オフーと駆動機構の運動。エアブラシ管理モジュールは測量エアブラシ装置におけるペンキ塗り機構の作動過程を制御し、エアブラシ管理モジュールはサーバーサイドからダウンロードされたペンキ塗り実施方案を制御信号に転換して、制御信号を測量エアブラシ装置に入力してペンキ塗り機構の変移、回転、ペンキ塗りをするかどうかなどの操作を制御して、爪のペンキ塗りを完成する。エアブラシ管理モジュールは測量エアブラシ装置に配置されてペンキ塗り機構への制御を完成する。測量管理モジュールはレーザー走査機構を制御し、レーザー発生器のオン／オフー及び駆動機構の運動を制御し、カメラを合わせて爪のレーザー走査図像の採集を完成する。インテリジェント端末と測量エアブラシ装置との情報、データの接続は無線の方式、例えばブルートゥース（登録商標）又は他の無線通信方式により実現でき、有線の方式により実現することもできる。インテリジェント端末の美爪APPモジュール におけるエアブラシ管理モジュールと測量エアブラシ装置の制御モジュールとの間に交換された情報は装置オン／オフー制御命令とステッピングモーター制御命令を備える。【０００７】
本発明の美爪装置は少なくとも一つの爪情報採集モジュールを備え、爪情報採集モジュールはインテリジェント端末のカメラ、測量管理モジュール、及び測量エアブラシ装置のミラーアセンブリを備える。このモジュールは、また測量エアブラシ装置のレーザー走査機構を備える。使用時に、インテリジェント端末は測量エアブラシ装置のインテリジェント端末の止め機構に配置され、インテリジェント端末のカメラはミラーアセンブリに合わせられ、爪の多方位の図像はミラーアセンブリによりカメラに投射され、カメラは一回に撮影された一枚の画面に複数の方位、複数の視角の爪図像を得る。このように、異なる角度から複数回に爪の写真をすることを免れ、爪図像の獲得の速度を向上させ、各写真の爪の比例が一致であることを保証して、後の爪の三次元形態の計算と識別の正確度を向上する。爪情報採集モジュールはまた三次元レーザー測量システムを備える。三次元レーザー測量システムは測量エアブラシ装置のレーザー走査機構、ミラーアセンブリ及びインテリジェント端末のカメラ、測量管理モジュールを備える。レーザー走査機構から発生した網状と／又はストライプ状と／又は点状のレーザースポット、レーザースポット図像はミラーアセンブリの屈折によりカメラに入って、カメラに撮影される。測量管理モジュールはスポット写真をサーバーサイドの爪三次元形態計算モジュールにアップロードされ、爪の三次元形態の精確的な測量を完成する。三次元レーザー測量の方法は公知技術である。公知の三次元レーザー測量装置は少なくとも二つのカメラを備え、二つのカメラは同一時刻にスポットの写真を撮ってから、三角測量法によりスポットの箇所の三次元座標を算出する。本発明では、ミラーアセンブリが有され、ミラーアセンブリは少なくとも二つのミラーを有し、異なるミラーは爪の回りにおける異なる箇所に位置し、ミラーは爪の影像をカメラに反射され、カメラは一枚の画面で複数の異なる視角のレーザースポット図像を撮影して取得するので、三次元レーザー測量システムは少なくとも二つのカメラを有することに相当する。三次元レーザー測量システムは、また少なくとも一つのフィルターを備え、フィルターはレーザー走査機構におけるレーザーの波長の光線が透過して他の波長の光線が透過することを阻止する。このように、カメラに入るのはレーザースポット図像だけであり、他の光線の邪魔を阻止して、爪三次元形態の識別の正確度を向上する。
【０００８】
本発明では、爪の位置を位置決めしてタイミングに爪のペンキ塗りの過程に爪の位置の変化を識別ために、ユーザーの指の最末の指節に近い非爪の位置に少なくとも２位置決め点が設置されている。位置決め点は爪の後部の皮膚における光反射フィルムでもよく、爪の周りの皮膚におけるペンキ塗り点又は色ブロックでもよい。位置決め点は円形や、三角形や、四辺形など各種の形態でもよい。位置決め点の形態と／又は尖角と／又は排列方式は方位指示機能を有し、指と爪の位置を決めるためである。位置決め点はカメラに撮影され、測量管理モジュールは実時に位置決め点の位置変化を識別して、実時に爪の位置変化を識別する。測量管理モジュールは爪の位置変化の情報をエアブラシ管理モジュールに入力して、パターンエアブラシが爪の正確な箇所に位置することを保証する。位置決め点の位置識別も爪の三次元形態の計算モジュール により完成する。エアブラシの実施方案の調整もエアブラシ実施方案により生成したモジュールにより完成する。
【０００９】
サーバーサイドは少なくとも一つの爪パターンベースを備え、爪パターンベースはデータベースを備え、爪パターンを記憶して、インテリジェント端末に爪パターンを伝送し、ユーザーが選定した爪パターン情報を受信するためである。爪パターンベースは少なくとも一つの無料ベースを備え、無料の爪パターンを管理し、記憶し、発表するためである。爪パターンベースは少なくとも一つの有料ベースを備え、有料の爪パターンを管理し、記憶し、発表するためである。爪パターンベースは少なくとも一つのユーザーのアップロードベースを備え、ユーザーが美爪APPモジュールによりアップロードされた爪パターンを管理し、記憶するためである。爪パターンは爪にペンキ塗りするパターン、図像、ペンキ塗り効果図、写真などを備える。爪パターンベースの一部と／又は全部はインテリジェント端末に配置されてもいい。サーバーサイドは少なくとも一つの爪三次元形態計算モジュールを備え、爪三次元形態計算モジュールはインテリジェント端末の美爪APPモジュールの測量管理モジュールから伝送された爪図像と／又はレーザー図像を受信して、図像から爪の位置を識別して爪の三次元形態を測量して算出する。爪三次元形態計算モジュールはインテリジェント端末の美爪APPモジュールにはいちされてもよい。サーバーサイドは少なくとも一つのペンキ塗り実施方案生成モジュールを備え、ユーザーが選定したパターンと爪の三次元形態によりペンキ塗り実施方案を算出する。ペンキ塗り実施方案はペンキ塗り実行機構のノズルと／又はブラシの色の選択、移動跡、回転角度、ペンキ塗りするかどうか、上昇又は降下、駆動機構の制御情報を備える。ペンキ塗り実施方案生成モジュールもインテリジェント端末の美爪APPモジュールにおいて配置されてもよい。サーバーサイドは少なくとも一つの健康管理モジュールを備え、健康管理モジュールはアップロードされたユーザーの爪の図像からユーザーの爪の情報を識別してユーザーの健康情況を判断し、ユーザーの爪の情報は色、形態、きめ、生地、爪の下の血液の流動情況などを備える。ユーザーの爪の下の血液流動情況は爪の写真における赤外線図像情報から獲得される。健康管理モジュールの全部と／又は一部はインテリジェント端末の美爪APPモジュールに配置されてもよい。サーバーサイドは少なくとも一つのユーザー管理モジュールを備え、ユーザー管理モジュールは少なくとも一つのユーザーデータベースを備えてユーザーの情報を記憶する。ユーザー管理モジュールはユーザーの個人の情報を記憶する。個人情報は年齢、健康情況、携帯電話番号、ネットサーフィンウェーブ、ネットサーフィン行為、ブラウズ行為などを備える。ユーザー管理モジュールは少なくとも一つのユーザー分析モジュールを備え、ユーザー分析モジュールはビッグデータ技術によりユーザーの個人情報を分析してユーザーの好き好み、消費能力、購買需要などを備える。ユーザー管理モジュールは少なくとも一つの情報プッシュモジュールを備え、情報プッシュモジュールはユーザーの個人情報の分析結果によりユーザーに精確に多種の情報を発送し、前記情報はコマーシャル、各種の情報に限らない。インテリジェント端末の美爪APPモジュールのヒューマンコンピュータインタラクション管理モジュールはユーザーのブラウズ情報プッシュモジュールから情報を伝送した時にブラウズ、クリックなどの行為データを記憶して、これらのデータをサーバーサイドのユーザー管理モジュールのユーザー分析モジュールに伝送して、実時にビッグデータ技術により発送された情報に対するユーザーの好き好みを分析して、実時に発送情報の内容を調整する。
【００１０】
本発明の美爪装置に基づく美爪方法である。ユーザーはインテリジェント端末における美爪APPモジュールを起動して、APPにおけるサーバ接続モジュールはサーバーサイドに接続し、ユーザーはサーバ接続モジュールによりサーバーサイドのユーザー管理モジュールに登録する。インテリジェント端末のヒューマンコンピュータインタラクション管理モジュールはサーバーサイドの爪パターンベースにおける爪パターンをダウンロードしてインテリジェント端末のパネルに表示する。ユーザーは爪パターンをブラウズし、一つ又は複数のパターンを選択し、ヒューマンコンピュータインタラクション管理モジュールよりユーザーが選択した結果がサーバーサイドの爪パターンベースにアップロードされ、爪パターンベースによりユーザーが選択したパターンがペンキ塗り実施方案生成モジュールに伝送される。美爪APPモジュールはインテリジェント端末パネルにおいて図形又は文字で表示する方式又は声音の方式によりユーザーにヒントを発出し、インテリジェント端末と測量エアブラシ装置との接続をすることを提示する。ユーザーは測量エアブラシ装置とインテリジェント端末との情報の接続と制御の接続をする。美爪APPモジュールはユーザーがヒントを発出した後に、インテリジェント端末を測量エアブラシ装置のインテリジェント端末の止め機構に位置させる。ユーザーはインテリジェント端末を止め機構に位置させた後に、ユーザーは「確定」又は「次に」をクリックして次のステップに入る。美爪APPモジュールがユーザーにヒントを発出して、ユーザが指を測量エアブラシ装置の指止め機構に位置させるように提示する。ユーザーは指を止め機構に位置させた後に、ユーザーは「次に」又は「測量開始」をクリックして、爪に対して三次元形態の測量を実施する。爪三次元形態の測量は両種の方法により又は両種の方法を結合して実行される。一種の測量方法は図像識別により爪の形態を測量する。測量エアブラシ装置におけるミラーアセンブリは複数の異なる角度、位置の爪図像をインテリジェント端末のカメラに反射して、ユーザーが「測量開始」をクリックした後に、測量管理モジュールはカメラが一枚の写真を撮り、この写真は爪の多角度、多位置図像を備える。サーバ接続モジュールは爪写真をサーバーサイドの爪三次元形態計算モジュールにアップロードされ、爪三次元形態計算モジュールは写真における爪の識別、三次元形態計算を完成する。図像識別技術は公知技術である。他種の測量方法はレーザー三次元測量技術により爪形態を測量する。レーザー三次元形態測量技術は公知技術である。本発明の美爪装置のレーザー三次元測量システムはレーザー走査機構、ミラーアセンブリ、カメラ、測量管理モジュール、及び爪三次元形態計算モジュールを備える。レーザー三次元測量システムは、またフィルターを備える。レーザー走査機構は網状スポットを発出し、網状スポットは爪に照射し、爪が三次元形態の変化を有するので、網状スポットが変形をする。カメラは変形後の網状スポットパターン、と未変形の網状スポットパターン進行比較計算、通過三角測量法の計算、就能確得到爪の三次元形態。レーザー走査機構は線形と／又は点状スポットを放射でき、駆動機構の駆動により、レーザー走査機構が放出したスポットは爪全体を照射する。カメラは所定の間隔で走査過程のスポット写真を撮って、爪三次元形態計算モジュールにアップロードし、爪三次元形態計算モジュールは各枚の写真におけるスポットの箇所の爪形態を算出し、多数枚の写真における異なるスポットの箇所の爪形態を完璧な爪の形態に合わせる。測量過程においては、写真が対応したレーザー走査機構のスポットの位置を記録する必要があり、この位置は駆動機構の位置により推算できる。また、一つの回転ミラーによりレーザー光束を反射し、レーザー光束はミラーにより反射された後に爪に照射し、回転ミラーにより、スポットは爪全体を走査している。異なるミラーの角度時のレーザースポット写真を記録して、爪全体の三次元形態を得る。爪三次元形態測量のステップでは、爪三次元形態計算モジュールは爪の多角度の写真と／又はレーザー走査スポット写真により爪の三次元形態を計算して、爪の三次元形態のディジタルモデルを得る。爪三次元形態計算モジュールは爪の三次元形態ディジタルモデルをペンキ塗り実施方案生成モジュールに伝送する。ペンキ塗り実施方案生成モジュールは爪の三次元形態ディジタルモデルとユーザーが選択したパターンにより、ペンキ塗り実施方案を計算して生成する。爪パターンは二次元平面形態であるが、爪は三次元立体形態であるので、空間の形態変化があり、ペンキ塗り実施方案生成モジュールは二次元平面パターンを三次元の爪の表面に映写して、映写後のパターンの各画素の空間三次元位置を得る。画素の三次元空間位置により、ペンキ塗り実行機構、例えばノズル又はブラシ先は、異なる画素をペンキ塗りする時に位置すべき空間位置を計算して得る。ペンキ塗り実施方案は全部の画素の箇所のペンキ塗り実行機構の三次元位置を備え、ペンキ塗り実施方案はまた各画素がペンキ塗りすべき色、及びペンキ塗り実行機構の運動制御跡を備える。ペンキ塗り実行機構はまたブラシ、ペンキ塗り実施方案は、またブラシ規格の選択、交換、ブラシの色の選択、ブラシ先の運行跡などの操作制御情報を備える。ペンキ塗り実施方案はパターンの爪における三次元映写により、爪における各点にペンキ塗りすべき色を確定する。ペンキ塗り実施方案はまた異なる色ペンキ塗りの先後順序、多層に重なる色の被覆関係を備える。美爪過程においては、一部のペンキは紫外線又は赤外線などにより照射され、乾燥され、硬化され、或いは一定の時間でペンキが乾燥する。ペンキ塗り実施方案はペンキ乾燥、化学変化などの操作の時間と順序を備える。サーバーサイドは算出したペンキ塗り実施方案をインテリジェント端末の美爪APPモジュール におけるエアブラシ管理モジュールに伝送し、エアブラシ管理モジュールはペンキ塗り実施方案を制御電気信号に転換して、有線又は無線の接続により測量エアブラシ装置の制御モジュールに伝送し、制御モジュールは制御電気信号を各種の継電器の作動、オン／オフー、ステッピングモーターの始動と停止を制御する。ペンキ塗り実行機構は制御モジュールの制御により、ノズルと／又はブラシが駆動機構の駆動により移動し、爪の各点にペンキ塗り実施方案に対応するペンキをエアブラシして、爪のパターンのエアブラシを完成する。
【００１１】
爪のパターンのエアブラシ過程は実時に調整することができる。サーバーサイドが爪のエアブラシ実施方案を算出した後、爪情報採集モジュールは指の位置が移動しないように爪の位置情報を採集する。爪情報採集モジュールは爪パターンをサーバーサイドにアップロードし、サーバーサイドの爪三次元形態計算モジュールは実時に爪の位置を識別し、最初に爪三次元形態を識別した時の爪の位置と対比して、変移がするかどうかを確定する。変移が発生すると、ペンキ塗り実施方案生成モジュールは位置の変化によりペンキ塗り実施方案を調整し、調整後のペンキ塗り実施方案を直ちにインテリジェント端末のエアブラシ管理モジュールにダウンロードして、実時にペンキ塗り実行機構の位置を調整して、もっと正確に爪のペンキ塗りを完成する。ペンキ塗り過程においては、爪情報採集モジュールは実時に爪の位置情報を採集して、実時に爪三次元形態計算モジュールにアップロードする。爪三次元形態計算モジュールは実時に識別爪の位置して、ペンキ塗り実施方案生成モジュールは爪の位置変化により実時にペンキ塗り実施方案を調整して、ペンキ塗り実施方案を実時にエアブラシ管理モジュールにダウンロードして、実時に測量エアブラシ装置のペンキ塗り実行機構のエアブラシ過程を調整する。エアブラシ実施過程においては、爪情報採集モジュールは実時にペンキ塗りされた爪パターンの完成情況を採集して、パターンを実時にサーバーサイドにアップロードする。サーバーサイドの爪三次元形態計算モジュールは実時にパターンの完成情況を識別して、前後の二枚の爪ペンキ塗りパターンにより爪が変移するかどうかを判断する。爪が変移すると、ペンキ塗り実施方案生成モジュールは爪の位置の変化とパターンの完成情況により実時にエアブラシ実施方案を調整して、調整後のペンキ塗り実施方案を実時にインテリジェントインテリジェント端末のエアブラシ管理モジュールにダウンロードして、実時にエアブラシ過程を調整する。
【００１２】
もと正確にペンキ塗り過程における爪の位置の変化を判断するために、サーバーサイドがペンキ塗り実施方案を計算して生成する時にパターンの特徴により、パターンから少なくとも二つの位置決め点を選択する。位置決め点がパターンにおいて周りの画素の色彩との対比が強い点でもよく、パターンにおいて線条又は色ブロックの交差点、頂点、角点などの特徴が明らかで、識別しやすい点でもよい。爪のペンキ塗りを開始する時に、ペンキ塗り実施方案生成モジュールは位置決め点の情報をエアブラシ管理モジュールにダウンロードして、エアブラシ管理モジュールはペンキ塗り実行機構が爪に位置決め点をペンキ塗りする。爪が変移すると、ペンキ塗り実施方案生成モジュールは変移後の位置決め点の爪におけるペンキ塗り位置を算出して、位置決め点のペンキ塗り情報をエアブラシ管理モジュールにダウンロードし、エアブラシ管理モジュールは、ペンキ塗り実行機構が爪における位置決め点をペンキ塗りする。エアブラシ実施過程においては、爪情報採集モジュールは実時に位置決め点を写真アップロード到サーバーサイド。サーバーサイドの爪三次元形態計算モジュールは実時に位置決め点を識別し、位置決め点の位置が変化するかどうかを監視し、位置決め点の位置が変化すると、爪が変移する。ペンキ塗り実施方案生成モジュールは爪の位置の変化により実時にエアブラシ実施方案を調整して、調整後のペンキ塗り実施方案を実時にインテリジェント端末のエアブラシ管理モジュールにダウンロードし、エアブラシ管理モジュールは実時に測量エアブラシ装置のペンキ塗り実行機構のエアブラシ過程を調整する。
【００１３】
爪の形態、大さ、色、きめなどにより、人体の健康状况を判断する。赤外線は人体の表層皮膚、爪を透過して、爪の下の毛細血管と血液流動の情況を照射する。本発明の美爪装置に基づいて美爪する時の健康診断方法では、ユーザーはインテリジェント端末における美爪応用を起動した後に、美爪の同時に、美爪装置の測量エアブラシ装置における赤外線光源はユーザーの爪を照射し、爪情報採集モジュールは赤外線光により照射した爪図像を撮影して、サーバーサイドの健康管理モジュールにアップロードする。サーバーサイドの健康管理モジュールは爪図像に基づいて健康専門家システムを尋ねて、ユーザーの健康情況を判断して、結果をインテリジェント端末のヒューマンコンピュータインタラクション管理モジュールに伝送して、文字、声音、図などの形式でユーザーに展示する。本発明の美爪装置に基づいて美爪する時の健康診断方法では、ユーザーはインテリジェント端末における美爪応用を起動した後、美爪の同時に、美爪装置の爪情報採集モジュールは爪の図像を撮影して、サーバーサイドの爪三次元形態計算モジュールと健康管理モジュールにアップロードする。爪三次元形態計算モジュールは爪の三次元形態を算出して、健康管理モジュールに伝送する。健康管理モジュールは爪の三次元形態、表面のきめ、色、月面あるかどうか、小月面の数量などの情報に基づいて健康専門家システムを尋ねて、の特徴によりユーザーの健康情況を判断して、結果をインテリジェント端末のヒューマンコンピュータインタラクション管理モジュールに伝送して、文字、声音、図などの形式でユーザーに展示する。
【００１４】
本発明の美爪装置に基づいて美爪する時にユーザーに情報を発信する方法である。ユーザーはインテリジェント端末における美爪応用を起動する後、ユーザーがサーバーサイドのユーザー管理モジュールに登録して、美爪をする。美爪する同時に、サーバーサイドのユーザー管理モジュールはユーザーの個人情報、ブラウズ行為などに対してビッグデータ分析を行ってユーザーの好き好みと需要を判断する。情報プッシュモジュールはユーザーの好き好みと需要によりユーザーのインテリジェント端末に狙いがはっきりして各種のプッシュ情報を発送し、プッシュ情報は各種のコマーシャルに限られない。情報プッシュのタイミングはユーザーが爪形態を測量する時でもよく、ユーザーが美爪パターンを選択する時でもよく、美爪パターンをペンキ塗りする時でもよい。情報プッシュの形式は声音、写真、図像、動画、マルチメディアなどを備える。写真はインテリジェント端末のパネル全体に表示されてもよく、美爪の応用インターフェイスの底部と両側に表示されてもよい。
【００１５】
本発明の美爪装置は少なくとも一つのインテリジェント端末と、少なくとも一つの測量エアブラシ装置と、少なくとも一つのサーバーサイドを有する。
【００１６】
前記インテリジェント端末は前記測量エアブラシ装置に接続され、前記インテリジェント端末は少なくとも一つの美爪応用モジュールを備え、前記美爪応用モジュールは少なくとも一つの測量管理モジュールを備え、前記測量管理モジュールは、前記インテリジェント端末と／又は前記測量エアブラシ装置におけるカメラが爪を可視光線と／又は赤外線と／又はレーザーで撮影するように制御する。前記美爪応用は少なくとも一つのエアブラシ管理モジュールを備え、前記エアブラシ管理モジュールは、前記測量エアブラシ装置が爪に美爪パターンのエアブラシを完成するように制御する。前記インテリジェント端末は前記サーバーサイドに接続される。本発明の美爪装置のインテリジェント端末の測量管理モジュールは、前記測量エアブラシ装置におけるレーザー走査機構が爪形態に対して三次元レーザー走査を完成するように制御する。本発明の美爪装置は、少なくとも一つの爪情報採集モジュールを備え、前記爪情報採集モジュールはインテリジェント端末のカメラと／又は測量エアブラシ装置におけるカメラ、前記インテリジェント端末における美爪応用モジュールの測量管理モジュール、及び測量エアブラシ装置におけるミラーアセンブリを備える。爪情報採集モジュールは、またレーザー走査機構を備える。本発明の美爪装置は、少なくとも一つのサーバーサイドを備え、前記サーバーサイドは美爪応用が搭載されたインテリジェント端末に接続され、前記サーバーサイドは少なくとも一つの美爪パターンベースを備え、前記美爪パターンベースは複数の美爪パターンを備え、前記美爪パターンベースは前記インテリジェント端末の前記美爪応用モジュールに前記美爪パターン伝送する。前記美爪パターンベースは少なくとも一つの有料パターンベースを備え、前記有料パターンベースは複数の美爪パターンを有し、前記有料パターンベースにおける美爪パターンは有料で使用される。前記美爪パターンベースは少なくとも一つのユーザーアップロードパターンベースを備え、前記ユーザーアップロードベースは複数のユーザーが美爪応用モジュールによりアップロードした複数の美爪パターンを備え、前記ユーザーアップロードベースはユーザーがアップロードした美爪パターンを管理する。本発明の美爪装置は、少なくとも一つのサーバーサイドを備え、前記サーバーサイドは美爪応用が搭載されたインテリジェント端末に接続され、前記サーバーサイドは少なくとも一つの健康管理モジュールを備え、前記健康管理モジュールはインテリジェント端末にアップロードされたユーザー爪の可視光線と／又は赤外線図像と／又は爪三次元形態計算モジュール が伝送したユーザー爪の三次元形態情報を受信する。前記健康管理モジュールはユーザーの爪の可視光線と／又は赤外線図像と／又は三次元形態情報によりユーザーの健康情況を判断する。本発明の美爪装置は、少なくとも一つのサーバーサイドを備え、前記サーバーサイドは美爪応用が搭載されたインテリジェント端末に接続され、前記サーバーサイドは少なくとも一つのユーザー管理モジュールを備え、前記ユーザー管理モジュールは、ユーザーの個人特徴と／又は健康情況、と／又は前記美爪応用の特徴の使用、と／又は発送情報に対する反応により、ユ��ザーに対してビッグデータ分析をしてユーザーの好き好みと／又は消費需要を判断する。前記ユーザー管理モジュールは少なくとも一つの情報プッシュモジュールを備え、前記情報プッシュモジュールはユーザーの好き好みと／又は消費需要により前記インテリジェント端末の前記美爪応用に前記ユーザーの好き好みと／又は消費需要に対する情報をプッシュする。本発明の美爪装置は、少なくとも一つの測量エアブラシ装置を備え、前記測量エアブラシ装置は少なくとも一つのミラーアセンブリを備え、前記ミラーアセンブリは少なくとも二つのミラーを備え、前記ミラーは爪の周辺の異なる位置に配置され、前記ミラーは爪の異なる視角の図像をインテリジェント端末と／又は測量エアブラシ装置のカメラに反射して、一枚の写真において爪の異なる視角の図像を撮影する。本発明の美爪装置は、少なくとも一つの測量エアブラシ装置を備え、前記測量エアブラシ装置は、少なくとも一つのレーザー走査機構を備え、前記レーザー走査機構は爪に対してレーザー走査をして爪に対して三次元レーザー測量をして、爪の三次元形態を得る。本発明の美爪装置は、少なくとも一つの測量エアブラシ装置を備え、前記測量エアブラシ装置は、少なくとも一つの赤外線光源を備える。
【００１７】
本発明の美爪装置の美爪方法は、以下のステップを備える。
【００１８】
a.インテリジェント端末と測量エアブラシ装置を接続する。
【００１９】
b.インテリジェント端末における美爪応用モジュールを起動し、美爪応用モジュールとサーバーサイドとを接続する。
【００２０】
c.ユーザーは美爪応用モジュールのヒューマンコンピュータインタラクション管理モジュールによりバーサイドの爪パターンベースにおける美爪パターンをブラウズサーして美爪パターンを選択して、選択された美爪パターンはペンキ塗り実施方案生成モジュールに伝送される。
【００２１】
d.ユーザーは指を測量エアブラシ装置に置いて、美爪応用モジュールは爪情報採集モジュールが爪の情報を採集するように制御する。
【００２２】
e.美爪応用モジュールはユーザー爪情報を爪三次元形態計算モジュールに伝送する。
【００２３】
f.爪三次元形態計算モジュールはユーザー爪の三次元形態を算出して、三次元形態情報をペンキ塗り実施方案生成モジュールに伝送する。
【００２４】
g.ペンキ塗り実施方案生成モジュールはユーザー爪の三次元形態とユーザーが選択した美爪パターンによりペンキ塗り実施方案を算出して、ペンキ塗り実施方案をインテリジェント端末に搭載された美爪応用モジュールにおけるエアブラシ管理モジュールに伝送する。
【００２５】
h.エアブラシ管理モジュールは測量エアブラシ装置が爪パターンのペンキ塗りをするように制御する。
【００２６】
ただし、aステップは、bステップ又はcステップの後に実行できる。そして、cステップとd、e、fステップの順序も交換できる。
【００２７】
本発明の美爪装置に基づく美爪方法は、以下のステップを備える。
【００２８】
a、爪の周りの皮膚に少なくとも二つの位置決め点が配置される。
【００２９】
b、爪の三次元形態を測量する同時に位置決め点の元の位置を測量する。
【００３０】
c、エアブラシを実施する過程において実時に位置決め点の位置が元の位置に対する変化を測量して、爪の位置が変化するかどうかを判断する。
【００３１】
d、爪の位置が変化すると、爪の位置の変化により実時にエアブラシ実施方案を調整する。
【００３２】
ステップaにおいては、位置決め点は爪の後部の皮膚に貼られる位置決め片でもよく、爪の周りの皮膚にエアブラシされたペンキ点でもよい。貼られる位置決め片ならば、ユーザーが指を測量エアブラシ装置に入る前に位置決め片を皮膚に貼る。エアブラシされたペンキ点ならば、爪の三次元形態を測量する前に爪の後部の皮膚に位置決め点をエアブラシして形成する。このように、爪の図像を撮影する同時に位置決め点を撮影する。図像は爪三次元形態計算モジュールに伝送された後に、爪三次元形態計算モジュールはこれらの位置決め点を識別して、位置決め点と爪との位置関係を識別する。爪の後部の皮膚と爪の位置が固定であるので、爪と位置決め点との位置関係も固定である。爪の後部の皮膚は爪が存在する指節の爪に近い位置の皮膚である。位置決め点の位置が変化すると、爪の位置も変化して、且つ位置決め点の位置変化の情況により爪の位置変化の情況を算出する。このように、位置決め点の位置の変化により爪の位置の変化を確定する。位置決め点の識別が爪の識別に比較してもっと安いから、実時に爪の位置変化を識別する効率を向上し、ペンキ塗り実施過程の精確度を向上する。
【００３３】
本発明の美爪装置に基づく健康管理方法は、以下のステップを備える。
【００３４】
a.インテリジェント端末と測量エアブラシ装置を接続する。
【００３５】
b.インテリジェント端末における美爪応用モジュールを起動し、美爪応用モジュールとサーバーサイドとを接続する。
【００３６】
c.ユーザーが指を測量エアブラシ装置に置いて、美爪応用モジュールは爪情報採集モジュールが爪の情報を採集するように制御する。
【００３７】
d.美爪応用モジュールは採集されたユーザーの爪の情報をサーバーサイドの爪三次元形態計算モジュールと／又は健康管理モジュールにアップロードする。
【００３８】
e.爪三次元形態計算モジュールはユーザーの爪の三次元形態を算出して、且つ爪の三次元形態情報を健康管理モジュールに伝送する。
【００３９】
f.健康管理モジュールはユーザー爪の図像情報と／又は三次元形態によりユーザーの健康情況を判断する。
【００４０】
g.健康管理モジュールはユーザーの健康情報をユーザー管理モジュールに伝送してユーザーに対してビッグデータ分析をする。
【００４１】
h.健康管理モジュールはユーザーの健康情報をインテリジェント端末に伝送してユーザーに展示する。
【００４２】
ただし、a、bステップの順序は交換してもよく、eステップが省略してもおく、gステップも省略してもよい。
【００４３】
本発明の美爪装置に基づく情報プッシュ方法は、以下のステップを備える。
【００４４】
a.インテリジェント端末における美爪応用モジュールを起動して、美爪応用モジュールとサーバーサイドとを接続する。
【００４５】
b.ユーザーがサーバーサイドのユーザー管理モジュールに登録する。
【００４６】
c.ユーザー管理モジュールはユーザーの個人特徴と／又は健康情況、と／又は前記美爪応用の特徴、と／又は発送された情報に対する反応に対してビッグデータ分析をしてユーザーの好き好みと／又は消費需要を判断する。
【００４７】
d.情報プッシュモジュールは、ユーザーの好き好みと／又は消費需要により前記インテリジェント端末の前記美爪応用は前記ユーザーの好き好みと／又は消費需要に対して情報をプッシュする。
【００４８】
ただし、bステップを省略してもよく、cステップもしょうりゃくしてもよい。
【００４９】
本発明の美爪装置によれば、美爪機器のコストを低減して、美爪機器の普及に便利である。
【００５０】
本発明の美爪方法によれば、美爪を実現しやすいから、美爪は家でも実現できる。
【００５１】
本発明の美爪装置の健康管理方法によれば、美爪装置により、ハードウェアのコストを増加しないで、美爪装置の機能を増加できる。
【００５２】
本発明の美爪装置に基づく情報プッシュ方法によれば、美爪装置により情報の発送を実現しやすく、ハードウェアのコストを増加しないで、美爪装置の機能を増加できる。
【図面の簡単な説明】
【００５３】
【図１】本発明の美爪装置の一つの実施例の構成概略図である。
【図２】本発明の美爪装置の構成図である。
【図３】本発明の美爪装置の美爪の流れ図である。
【図４】本発明の美爪装置の一つの実施例の構成側面図である
【図５】本発明の美爪装置一つの実施例の組成構造平面図である。
【図６】本発明の美爪装置一つの実施例のレーザー走査機構の概略図である。
【発明を実施するための形態】
【００５４】  図1における美爪装置はスマートフォン1、サーバーサイド2、測量エアブラシ装置3を備える。スマートフォン1はUSBインターフェースデータライン121により測量エアブラシ装置3と情報の接続を実現する。スマートフォン1は無線方式123によりインターネットのリモート端のサーバーサイド2と情報の接続と交換を実現する。測量エアブラシ装置3はペンキ塗り機構を備え、ペンキ塗り実行機構はペンキを爪の表面に塗布することができる。ペンキ塗り機構はペンキ塗り実行機構313を備え、ペンキ塗り実行機構313はペンキの微小液滴をエアブラシするノズルと／又はブラシを備え、ペンキ塗り機構はペンキ塗り実行機構313が運動するように駆動するステッピングモーターと補助機構を備え、ステッピングモーターはノズルと／又はブラシが三次元空間で移動するように駆動して、ペンキを爪の表面に塗布する。制御モジュール301はペンキ塗り実施方案を記憶する記憶装置を備えても、備えなくてもい。測量エアブラシ装置３は少なくとも一つのミラーアセンブリ309を備え、ミラーアセンブリ309は少なくとも一つのミラーと／又はプリズムを備える。複数のプリズムは爪の周りの異なる位置に配置され、異なるミラー同士が角度を形成する。複数のミラーは複数の異なる角度から爪の図像を反射して複数の異なる角度の爪図像を同時にスマートフォン1のカメラ101に反射する。このように、スマートフォン1のカメラ101は一枚の図像、即ち一枚の写真に爪の多角度の影像を記憶する。測量エアブラシ装置3は少なくとも一つのインテリジェント端末止め機構305を備え、スマートフォン1は、カメラ101がミラーアセンブリ309が反射した図像を撮る箇所に位置するように、インテリジェント端末止め機構305に置かれて固定される。測量エアブラシ装置3はレーザー走査機構311を備える。レーザー走査機構311は少なくとも一つの線状レーザー光源を備える。レーザー走査機構311は少なくとも一つの移動機構を備え、移動機構によりレーザー光源作が線性移動と／又は回転移動をするように駆動して、線状レーザーはユーザーの爪を走査する。レーザースポット影像はミラーアセンブリ309を通じてカメラ101に投射し、カメラ101は一枚のレーザー影像を撮る。レーザー光源は移動機構の駆動により持続的に運動し、レーザースポットは爪表面全体を走査する。線状レーザースポットの移動により、カメラ101は所定の時間間隔で多数枚のレーザースポット写真を連続的に記憶して、サーバーサイド2の爪三次元形態計算モジュール２03にアップロードされる。レーザー走査機構311は、また一つの網状レーザー発生装置を備え、網状レーザー発生装置はメッシュ状のレーザーパターンを生成する。メッシュ形態は長方形、三角形、六辺形などでもよく、メッシュの大きさは0.1ミリメートル〜19ミリメートルである。網状レーザーは平面に照射する時に、レーザーメッシュパターンが変形しないで、元の形態を保持する。この元の図像は基準参考図像とすることができる。網状レーザーは爪と指に照射する時に、爪が弧度と段差の変化を有するので、レーザーメッシュパターンが変形し、変形後のレーザーメッシュパターンはカメラ101に撮影されて爪三次元形態計算モジュール２03にアップロードされる。爪三次元形態計算モジュール２03は変形後のレーザー��ッシュパターンを基準参考図像と比較して、爪の三次元形態と大きさを得る。測量エアブラシ装置3は少なくとも一つの赤外線光源303を備え、指を撮影する時に赤外線照明を提供する。赤外線は爪と皮膚を透過して爪と皮膚の下の毛細血管を照射し、通常のカメラは赤外線を撮影できるので、カメラ101は毛細血管の赤外線影像を撮影できる。毛細血管の赤外線影像はサーバーサイド2の健康管理モジュール207にアップロードされる。爪三次元形態計算モジュールが測量して得る爪の三次元形態も健康管理モジュール207に伝送される。爪の彩色図像も健康管理モジュールに伝送される。健康管理モジュール207は爪の色、小月面があるかどうか、爪の表面のきめ、三次元形態、爪の下の毛細血管の血液流動情況などにより、統括的にユーザーの健康情況を判断して、健康情況をスマートフォン1のパネルや、ラウドスピーカーにより文字、図像と声音など方式でユーザーに展示される。測量エアブラシ装置3は少なくとも一つの指止め機構307を備え、指止め機構307は指の位置を固定して制限して測量と／又はパターンのペンキ塗りを実行する。測量エアブラシ装置3は制御モジュール301を備え、制御モジュール301はスマートフォン1とデータの接続を実現し、スマートフォン1における美爪APP応用モジュール103の制御指令を受信して、測量エアブラシ装置3における他のモジュールの作動を制御する。制御モジュール301は測量管理モジュール111とエアブラシ管理モジュール117の制御指令を受信できる。測量管理モジュール111は制御モジュール301により赤外線光源303とレーザー走査機構311のオン／オフを制御する。制御モジュール301はペンキ塗り制御モジュールを備え、ペンキ塗り制御モジュールはスマートフォン1の美爪APPモジュール103におけるエアブラシ管理モジュール117が発出する制御情報を受信してペンキ塗り機構のステッピングモーターの移動とペンキ塗り実行機構313のノズル、ブラシの作動を制御する。測量エアブラシ装置3も一つ又は者複数の図像採集装置、例えばビデオカメラ、カメラを備える。これらの測量エアブラシ装置3に配置された図像採集装置は制御モジュール301によりスマートフォン1の測量管理モジュール111に接続され、スマートフォンにおける美爪APPモジュール103は測量管理モジュール111によりこれらの図像採集装置の作動を制御する。測量エアブラシ装置3における図像採集装置とスマートフォン1におけるカメラは図像採集装置の構成要素である。スマートフォン1は一つの美爪APPモジュール103を備える。美爪APPモジュール103は少なくとも一つの測量管理モジュール111を備える。測量管理モジュール111はスマートフォン1のカメラ101の作動状態を管理し、カメラ101が指令と／又は所定の順序により爪の図像と／又はレーザー走査図像を撮影して、これらの図像を他の機能のモジュールに伝送する。測量管理モジュール111はレーザー走査機構の走査過程を制御し、レーザー走査機構の駆動機構の運動を制御し、レーザー光源のオン／オフーを制御し、赤外線光源のオン／オフーを制御する。美爪APPモジュール103は少なくとも一つのサーバ接続モジュール113を備える。サーバ接続モジュール113はスマートフォン1におけるネットサーフィンモジュールと機能を管理して、スマートフォンがサーバーサイド2に通信的接続を実現する��サーバ接続モジュール113はサーバーサイド2に各種の情報と下載各種の情報をアップロードし、これらの情報は爪の可視光線図像、赤外線図像、レーザースポット図像、ユーザーの選択、爪パターン、ペンキ塗り実施方案などに限られない。美爪APPモジュール103は少なくとも一つのヒューマンコンピュータインタラクション管理モジュール115を備える。ヒューマンコンピュータインタラクション管理モジュール115はスマートフォンのタッチパネルを制御する。ヒューマンコンピュータインタラクション管理モジュール115はパネルに少なくとも一つのサーバーサイド2の爪パターンベース201からダウンロードされた爪パターンをユーザーがブラウズして、選択するように提供する。ヒューマンコンピュータインタラクション管理モジュール115はユーザーが選択した爪パターンを記憶して、選択の結果をサーバ接続モジュール113によりサーバーサイド2にアップロードされる。ヒューマンコンピュータインタラクション管理モジュール115はユーザーにサーバーサイドからコマーシャル、写真を提示する語音など情報を展示し、ヒューマンコンピュータインタラクション管理モジュール115はユーザーのブラウズやクリックなどのインタラクション行為を記憶して、これらの行為のビッグデータをサーバーサイド2のユーザー管理モジュール209にアップロードする。ユーザー管理モジュール209はユーザーに大してビッグデータ分析をして、ユーザーに対するビッグデータ分析の結果により、ユーザーの特徴と行為習慣、好き好みなどの情報を判断して、これらの情報に対して狙いがはっきりしてユーザーにコマーシャルなどをプッシュする。美爪APPモジュール103は少なくとも一つのエアブラシ管理モジュール117を備える。エアブラシ管理モジュール117はサーバーサイド2のペンキ塗り実施方案生成モジュール２05からのペンキ塗り実施方案を受信し、エアブラシ管理モジュール117はペンキ塗り実施方案を制御指令に転換する。エアブラシ管理モジュール117はサーバーサイド2の制御命令を受信して、制御指令に転換する。エアブラシ管理モジュール117は多種の美爪プロセスと美爪装置の制御方案を記憶して、これらのプロセスと制御方案を制御指令に転換する。制御指令はオン／オフー命令、変移命令に限られない。美爪APPモジュール103のエアブラシ管理モジュール117は測量エアブラシ装置3の制御モジュール301と情報の接続を実現して、制御指令を制御モジュールに伝送する。制御指令は測量エアブラシ装置3における各サブモジュール、サブ機構のオン／オフー、ステッピングモーターの変移、ペンキ塗り実行機構のノズルがエアブラシするかどうかとノズルの変移、赤外線光源のオン／オフー、レーザー走査機構のオン／オフー、美爪のプロセス、各サブ装置とサブ機構の作動順序などに限られない。制御モジュール301はこれらの指令により測量エアブラシ装置3とスマートフォン1における各種の装置のオン／オフーとステッピングモーターの変移を制御する。エアブラシ管理モジュール117は制御モジュール301によりペンキ塗り実行機構313の作動過程を制御する。エアブラシ管理モジュール117はサーバーサイドからダウンロードされたペンキ塗り実施方案を制御指令に転換して、制御指令を制御モジュール301に伝送してペンキ塗り実行機構313の変移��回転、ペンキ塗りをするかどうかなどの操作を制御して、爪に対するペンキ塗りをする。エアブラシ管理モジュール117はレーザー走査機構311を制御して、レーザー発生器のオン／オフーと駆動機構の運動を制御して、測量管理モジュール111に合わせて爪のレーザー走査図像を採集する。スマートフォン1と測量エアブラシ装置3との間の情報、データの接続はブルートゥース（登録商標）通信の方式により実現され、USBデータラインの方式により実現される。スマートフォン1の美爪APPモジュール103におけるエアブラシ管理モジュール117と測量エアブラシ装置3の制御モジュール301との間に伝送される情報は装置のオン／オフー制御命令とステッピングモーター制御命令に限られない。本実施例においては、爪情報採集モジュールを備え、爪情報採集モジュールはスマートフォン1のカメラ101と、測量管理モジュール111と、測量エアブラシ装置3のミラーアセンブリ309とを備える。このモジュールは、また測量エアブラシ装置3のレーザー走査機構311を備える。サーバーサイド2は少なくとも一つの爪パターンベース201を備え、爪パターンベース201はデータベースを備え、複数の爪パターンを記憶する。爪パターンベース201はスマートフォン1に爪パターンを伝送して、ユーザーが選定した爪パターン情報を受信する。爪パターンベース201は少なくとも一つの無料ベース211を備え、無料の爪パターンを管理して、記憶して、発表する。爪パターンベースは少なくとも一つの有料ベース213を備え、有料の爪パターンを管理して、記憶する。爪パターンベースは少なくとも一つのユーザーアップロードベース215を備え、ユーザーがアップロードした爪パターンを管理して、記憶する。無料ベース211、有料ベース213、ユーザーアップロードベース215とのデータはお互いに伝送できる。爪パターンは、爪にペンキ塗りしたパターン、図像、ペンキ塗り効果図、写真などに限られない。爪パターンベースの一部と／又は全部はスマートフォンに配置される。サーバーサイド2は少なくとも一つの爪三次元形態計算モジュール２03を備え、爪三次元形態計算モジュール２03はスマートフォン1から伝送された爪図像と／又はレーザー図像を受信して、図像における爪を識別して爪の三次元形態を測量する。図像識別により爪の三次元形態を算出することは公知技術である。爪三次元形態計算モジュールもスマートフォンの美爪APPモジュールに配置されてもよい。サーバーサイド2は少なくとも一つのペンキ塗り実施方案生成モジュール２05を備え、ペンキ塗り実施方案生成モジュール２05はユーザーが選定したパターンと爪の三次元形態、爪の位置により美爪のペンキ塗り実施方案を算出する。ペンキ塗り実施方案は測量エアブラシ装置3のペンキ塗り実行機構313のノズルと／又はブラシの移動跡、ペンキ塗りするかどうか、ステッピングモーターの制御情報に限られない。ペンキ塗り実施方案生成モジュールもスマートフォンの美爪APPモジュールに配置されてもよい。爪パターンベースの全部又は一部はスマートフォンに配置される。サーバーサイド2は少なくとも一つの健康管理モジュール207を備え、健康管理モジュール207はサーバーサイド2にアップロードされたユーザーの爪図像によりユーザーの爪の情報を識別してユーザーの健康情況を判断する。ユーザーの爪の情報は色、形態、生地、きめ、爪の下の血液流動情況などに限られない。ユーザーの爪の下の血液流動情況は爪の写真に含まれた赤外線図像情報から取得され、爪により健康を判断する方法は公知技術である。健康管理モジュールの全部と／又は一部はスマートフォンの美爪APPモジュールに配置される。サーバーサイド2は少なくとも一つのユーザー管理モジュール209を備え、ユーザー管理モジュール209は少なくとも一つのユーザーデータベースを備えてユーザーの情報を記憶する。スマートフォン1はユーザーが美爪APPに登録して使用する時にサーバ2のユーザー管理モジュール209にユーザー個人情報をアップロードする。ユーザー管理モジュール209はビッグデータ技術によりユーザーの個人情報を記憶して分析する。個人情報は年齢、健康情況、携帯電話番号、ネットサーフィンのウェーブ、ネットサーフィンの行為、ブラウズとクリックの行為などに限られない。ユーザー管理モジュール209は少なくとも一つのユーザー分析モジュールを備え、ユーザーの個人情報によりユーザーの好き好み、消費能力、購買需要などを分析する。ユーザー管理モジュールは少なくとも一つの情報プッシュモジュール２19を備え、情報プッシュモジュール２19はユーザーの分析結果によりユーザーに多種の情報を発送し、前記情報はコマーシャル、各種のコミュニケーションに限られない。スマートフォン1のヒューマンコンピュータインタラクション管理モジュール115はユーザーがブラウズ情報プッシュモジュール２19から情報を発送する時のブラウズ、クリックなどの行為のデータを記憶して、これらのデータをユーザー分析モジュールに伝送して、ビッグデータ技術によりユーザーが発送した情報にたいする好き好み程度を分析して、実時に発送の情報内容を調整する。
【００５５】
図2においては、スマートフォン1は測量エアブラシ装置3に配置され、測量エアブラシ装置3のてっぺんにおけるインテリジェント端末の止め機構305により携帯電話1が固定される。測量エアブラシ装置3の側面に開口があり、ユーザーの指5が開口に入ることができ、且つ開口における指止め機構により固定される。指止め機構の各部材は指が入らない時により大きい距離を離れて、指が入るようにする。指が入る後に、止め機構の各部材は指に近寄って、指を挟んで、指の位置が変化しないようにする。スマートフォン1はUSBインターフェースのデータラインと測量エアブラシ装置3とデータの接続を実現する。スマートフォン1は無線通信ネットによりリモート端のサーバーサイド2とデータの接続を実現する。測量エアブラシ装置3のてっぺんに光学窓が設けられ、光線は窓から透過して、スマートフォン1のカメラに照射する。測量エアブラシ装置3の内部にミラーアセンブリが配置されて、ユーザーの爪の図像を測量エアブラシ装置3のてっぺんの光学窓に反射／屈折して、スマートフォン1のカメラに照射させる。測量エアブラシ装置3のインテリジェント端末止め機構は測量エアブラシ装置の側面又は斜側面に配置される。この時には、スマートフォンは測量エアブラシ装置の側面又は斜側面に配置される。光学窓も相応して側面又は斜側面に配置される。使用時に、スマートフォン1と測量エアブラシ装置3はデータラインにより接続され、スマートフォン1における美爪APPモジュールを起動して、インターネットにおけるサーバーサイド2に登録して接続する。ユーザーはスマートフォンの美爪応用におけるサーバーサイドからの爪パターンベースをブラウズしてある一つ又は複数のパターンを選択する。このステップは爪の三次元形態を測量するステップの後に実行されてもよい。スマートフォン1は測量エアブラシ装置3のインテリジェント端末止め機構305に置かれて、美爪装置が美爪の用意をする。ユーザーの指5は測量エアブラシ装置3の側面の開口から測量エアブラシ装置3に入って、爪の図像をスマートフォン1のカメラに反射して、スマートフォンに爪の多角度の写真を撮って、ネットワークによりサーバーサイド2に伝送する。爪5の多方位の図像はミラーアセンブリ309によりカメラ101に投射する。このように、カメラ101は一回に撮影した一枚の画面から複数の方位、複数の視角の爪の図像を得る。このように、異なる角度から複数回に爪の写真を撮ることを免れ、爪の図像の獲得の速度を向上して、各写真における爪の比例が一致であるように保証して、後に実行される爪の三次元形態の計算識別の正確度を向上する。爪三次元形態計算モジュールは爪の三次元形態を算出して、爪の三次元形態をペンキ塗り実施方案生成モジュールに伝送する。爪パターンベースはユーザーが選択した爪パターンをペンキ塗り実施方案生成モジュールに伝送する。爪の三次元形態と爪のパターンの伝送は、どちらが先に実行してもよい。ペンキ塗り実施方案生成モジュールは爪の三次元形態と爪パターンにより美爪過程のエアブラシ実施方案を算出する。エアブラシ実施方案はスマートフォンにおける美爪応用におけるエアブラシ管理モジュール二伝送される。エアブラシ管理モジュールは測量エアブラシ装置が爪に対するペンキ塗りを実行する。
【００５６】
図3においては、爪情報採集モジュール70はスマートフォン1のカメラ101、測量管理モジュール111、測量エアブラシ装置3のミラーアセンブリ309とレーザー走査機構311を備える。爪情報採集モジュール70は、また可視光線と／又は赤外線照明装置を備える。爪情報採集モジュール70は、また測量エアブラシ装置3に配置された撮影拍照装置を備える。ミラーアセンブリ309は爪の可視光線と赤外線の図像をカメラ101に反射できる。測量管理モジュール111はカメラ101の作動を制御し、測量管理モジュール111はユーザーの指令と／又は美爪作動の順序によりカメラが写真を撮ることを制御する。レーザー走査機構311は網状と／又はストライプ状と／又は点状のレーザースポットを生成し、レーザー走査機構311はユーザーの爪を照射して、爪のレーザー図像を得る。ミラーアセンブリ309は、またレーザー走査機構311の波長と同じフィルターを備えて、レーザー波長を有する光線を透過させ、他の波長の光線を阻止する。レーザースポットはユーザーの指に照射した後に、スポットが変形する。変形前と変形後のレーザースポット図像はカメラ101二撮影される。レーザー走査機構は線形と／又は点状レーザー光源を採用し、レーザーが爪の異なる位置を照射する多数枚の写真を撮ってこそ爪の三次元形態の測量を完成する。こうすれば、カメラ101はレーザー走査機構と所定の順序により協力して作動して、爪に対するレーザー走査測量を実行する。三次元レーザー走査測量技術は公知技術である。測量管理モジュール111は、カメラ101が写真を撮るように制御して、爪の可視光線写真と／又は赤外線写真と／又はレーザースポット写真を得て、撮影後の図像写真をサーバーサイド2の爪三次元形態計算モジュール２03と健康管理モジュール207にアップロードする。爪三次元形態計算モジュール２03は爪の写真により爪の三次元形態と爪の測量エアブラシ装置3における位置を識別して、爪の三次元形態情報と位置情報をペンキ塗り実施方案生成モジュール２05に伝送する。爪の多角度写真と／又はレーザー走査図像により爪の三次元形態と位置を識別することは公知技術である。健康管理モジュール207は爪の可視光線と赤外線写真に基づいて所定の専門家診断システムによりユーザーの健康情況を識別して、ユーザーの健康情報をスマートフォンに伝送し、スマートフォンにより声音と図像の方式でユーザーにフィードバックする。健康管理モジュール207はユーザーの健康情報をユーザー管理モジュールに伝送して、ユーザーの健康と需要のビッグデータ分析に用いる。爪により健康情況を識別することは公知技術である。ユーザーは本発明の美爪装置を起動した後に、スマートフォン1における美爪APPを通じてサーバーサイド2におけるユーザー管理モジュールに登録する。爪情報採集モジュール70はユーザーの爪5の情報を採集してサーバーサイド2にアップロードする。サーバーサイドの爪パターンベース201はユーザーのスマートフォンのヒューマンコンピュータインタラクション管理モジュール115に複数の爪パターンを伝送し、ユーザーはタッチパネル105などのヒューマンコンピュータインタラクション方式により爪パターンをブラウズして選択する。爪パターンベース201はユーザーが選択したパターンをペンキ塗り実施方案生成モジュール２05に伝送する。���ンキ塗り実施方案生成モジュール２05はユーザー爪の三次元形態と爪パターンにより爪のエアブラシ実施方案を算出する。エアブラシ実施方案はスマートフォン1におけるエアブラシ管理モジュール117に伝送される。エアブラシ管理モジュール117はエアブラシ実施方案により、測量エアブラシ装置3におけるペンキ塗り実行機構313が爪パターンのエアブラシを実現するように制御する。上記ステップを取り返して実行して、ユーザーのすべての爪のエアブラシを実現する。エアブラシ実施方案はペンキ塗り実行機構におけるノズルと／又はブラシの位置の制御、姿態の制御、ペンキの選択などの制御情報を備える。エアブラシ管理モジュールはサーバーサイドに配置される。エアブラシ管理モジュールは測量エアブラシ装置に配置される。爪三次元形態計算モジュールはインテリジェント端末に配置される。健康管理モジュールはインテリジェント端末に配置される。爪パターンベースはインテリジェント端末に配置される。ペンキ塗り実施方案生成モジュールはインテリジェント端末に配置される。
【００５７】
図4においては、美爪時に、スマートフォン1を測量エアブラシ装置のインテリジェント端末止め機構305に置いて、スマートフォン1のカメラ101をミラーアセンブリに合わせる。ミラーアセンブリは、ミラー3091、ミラー3092、及びミラー3093を備える。ミラー3091、ミラー3092、及びミラー3093はそれぞれに爪5の左右両側と前側に配置されて、爪の図像をカメラ101に反射する。カメラ101はミラー3091、ミラー3092、ミラー3093と爪5を同時に撮影できる。このように、カメラ101は爪の上部、左側、右側、前側の異なる視角の図像を撮影し、即ちカメラ101が撮影したの一枚の画面における爪の四つの角度の図像を撮影する。このように、カメラ101は一回に撮影した一枚の画面において複数の方位、複数の視角の爪の図像を得る。このように、異なる角度から複数回に爪の写真を撮ることを免れて、爪の図像の獲得速度を向上して、各写真における爪の比例が一致するように保証して、後の爪の三次元形態計算識別の正確度を向上する。測量エアブラシ装置は、また少なくとも一つの赤外線光源303を備え、赤外線光源は爪5に赤外線照明を提供する。このように、カメラは爪の赤外線図像を撮影できる。測量エアブラシ装置は、また少なくとも一つの図像採集装置321を備え、図像採集装置321はカメラ101に対して別体の撮影装置であり、図像採集装置321は爪の写真を撮ることが出来る。図像採集装置321が撮った写真はデータラインを通じてスマートフォンに伝送して、スマートフォンによりサーバーサイドに伝送する。図像採集装置321はカメラ101の補充である。測量エアブラシ装置は、また少なくとも一つのレーザー走査機構311を備え。測量エアブラシ装置は、また少なくとも一つの指止め機構を備える。指止め機構3071は上面から指を押さえ、指止め機構3072は下面から指を挟むから、指の位置が自由に変化することを防止する。
【００５８】
図5においては、指止め機構3073は左右両側から指を挟むから、指の位置が自由に変化することを防止する。ミラー3091は爪5の前側に配置されて爪5の図像をカメラ101に反射し、ミラー3092は爪5の左側に配置されて爪5の図像をカメラ101に反射し、ミラー3093は爪5の右側、に配置されて爪5の図像をカメラ101に反射する。カメラ101は爪5の上方に配置される。このように、カメラ101は爪の上部、左側、右側、前側の図像を同時に撮影できる。図におけるスマートフォン1はインテリジェント端末止め機構305により固定される。爪を位置決めして、タイミングに爪のペンキ塗り過程における爪の位置が変化するかどうかを識別するために、ユーザーの指の最末の指節の爪に近寄る非爪の位置に少なく二つの位置決め点は設置される。位置決め点53は爪の後部の皮膚に貼られる三角形の反光フィルムであり、位置決め点51は爪の周りの皮膚に塗布する正方形のペンキ点である。位置決め点はまた他の形態でもよい。位置決め点の形態と／又は配列方式は方位指示作用を有して、指と爪を位置決することができる。位置決め点51、53はカメラ101に撮影される。測量管理モジュールは実時に位置決め点51、53の位置を識別する。爪の三次元形態を識別する過程においては、測量管理モジュールは位置決め点51、53の位置を記憶して、爪ペンキ塗り過程において、測量管理モジュールは実時に位置決め点51、53の位置を識別し、位置が変化しないと、ペンキ塗りを続けて、位置決め点51、53位置が変化すると、測量管理モジュールは位置決め点の変化量を識別して、この変化量情報を実時にペンキ塗り実施方案生成モジュールに伝送する。ペンキ塗り実施方案生成モジュールは実時の爪の位置変化量により、改めてペンキ塗り実施方案を算出して、新たなペンキ塗り実施方案をエアブラシ管理モジュールに伝送する。測量管理モジュールは爪の位置の変化の情報をエアブラシ管理モジュールに伝送し、エアブラシ管理モジュールは爪の最も新たな位置により実時にエアブラシ実施方案を調整して、エアブラシのパターンが爪の正確な箇所に位置するように確保する。位置決め点の位置の識別もサーバーサイドの爪三次元形態計算モジュールにより実行される。
【００５９】
図6においては、爪情報採集モジュールは、また三次元レーザー測量システムを備える。三次元レーザー測量システムはレーザー走査機構、ミラーアセンブリ、カメラ、及び測量管理モジュールを備える。レーザー走査機構はレーザー源3111を備え、レーザー源3111は網状と／又は線形スポットを生成する。レーザー源3111が放出するレーザーは走査ミラーアセンブリ3097に照射し、走査ミラーアセンブリ3097に反射して爪5に照射し、爪5におけるスポット図像はミラー3094、ミラー3095を通じてミラー3096に反射して、スマートフォン1のカメラ101に照射する。走査ミラーアセンブリ3097のミラーは固定軸を回って回転すると、ミラーの揺動によりレーザーの屈折角度が変化して、レーザースポットの爪5における位置が変化する。走査ミラーアセンブリ3097の揺動角度とカメラ101の撮影時間を合わせて、爪の異なる位置のレーザースポット図像を得る。ミラー3094とミラー3095は爪の前後両側又は左右両側に配置され、ミラー3094とミラー3095は終始に爪におけるスポットの異なる両辺に配置されから、スポットの左右両側の異なる観察視角の図像を得る。ミラー3096は少なくとも二つのミラーを備え、そのうち一つのミラーはミラー3095に合わせ、他方のミラーはミラー3094に合わせる。カメラ101の角度から観察すると、ミラー3096のすべてのミラーはカメラ101に撮影される。ミラー3096はミラー3094、3095から反射する光線を受けて、カメラ101に反射すると、カメラは一枚の画面において爪におけるスポットの二つの異なる角度の図像を得る。走査ミラーアセンブリ3097の回転により、レーザースポットは爪で移動し、カメラ101は異なる位置の爪スポット図像を撮影する。測量管理モジュールは爪の異なる位置のスポット写真をサーバーサイドの爪三次元形態計算モジュールにアップロードして、爪三次元形態計算モジュールにより爪の三次元形態の精確的な測量を実現する。三次元レーザー測量の方法は公知技術である。公知の三次元レーザー測量装置は少なくとも二つのカメラを備え、二つのカメラはスポットの左右両側に配置されて一定の角度を形成し、二つのカメラは同一時刻に撮影した同一のスポットの左右両側視角の二枚の写真を撮った後に、この二枚の写真により三角測量法でスポットに位置する物体表面の三次元座標を算出する。本発明では、ミラーアセンブリを備え、ミラーアセンブリは少なくとも二つのミラーを備え、異なるミラーは爪の周りの異なる箇所に位置し、ミラーは爪の影像をカメラに反射し、カメラは一枚の画面に二つの異なる視角のレーザースポット図像を撮影し、三次元レーザー測量システムが少なくとも二つのカメラを備えることに相当する。ミラーアセンブリにより異なる視角のスポット図像を同時にカメラに反射して、レーザー測量システムの構造を簡単化して、コストを低減して、同時にレーザー測量の精度を向上する。
【００６０】
本発明の美爪装置の美爪方法は、以下のステップを備える。
【００６１】
a.インテリジェント端末と測量エアブラシ装置を接続する。
【００６２】
b.インテリジェント端末における美爪応用モジュールを起動し、美爪応用モジュールとサーバーサイドとを接続する。
【００６３】
c.ユーザーは美爪応用モジュールのヒューマンコンピュータインタラクション管理モジュールによりバーサイドの爪パターンベースにおける美爪パターンをブラウズサーして美爪パターンを選択する。
【００６４】
d.ユーザーは指を測量エアブラシ装置に置いて、美爪応用モジュールは爪情報採集モジュールが爪の情報を採集するように制御する。
【００６５】
e.美爪応用モジュールはユーザー爪情報を爪三次元形態計算モジュールに伝送する。
【００６６】
f.爪三次元形態計算モジュールはユーザー爪の三次元形態を算出して、三次元形態情報をペンキ塗り実施方案生成モジュールに伝送する。
【００６７】
g.ペンキ塗り実施方案生成モジュールはユーザー爪の三次元形態とユーザーが選択した美爪パターンによりペンキ塗り実施方案を算出して、ペンキ塗り実施方案をインテリジェント端末に搭載された美爪応用モジュールにおけるエアブラシ管理モジュールに伝送する。
【００６８】
h.エアブラシ管理モジュールは測量エアブラシ装置が爪パターンのペンキ塗りをするように制御する。
【００６９】
ただし、aステップは、bステップ又はcステップの後に実行できる。そして、cステップとd、e、fステップの順序も交換できる。
【００７０】
本発明の美爪装置に基づく美爪方法は、以下のステップを備える。
【００７１】
a、爪の周りの皮膚に少なくとも二つの位置決め点が配置される。
【００７２】
b、エアブラシを実施する過程において測量位置決め点の位置の変化を実時測量して爪の位置が変化するかどうかを判断する。
【００７３】
c、爪の位置が変化すると、爪の位置の変化により実時にエアブラシ実施方案を調整する。
【００７４】
ステップaにおいては、位置決め点は爪の後部の皮膚に貼られる位置決め片でもよく、爪の周りの皮膚にエアブラシされたペンキ点でもよい。貼られる位置決め片ならば、ユーザーが指を測量エアブラシ装置に入る前に位置決め片を皮膚に貼る。エアブラシされたペンキ点ならば、爪の三次元形態を測量する前に爪の後部の皮膚に位置決め点をエアブラシして形成する。このように、爪の図像を撮影する同時に位置決め点を撮影する。図像は爪三次元形態計算モジュールに伝送された後に、爪三次元形態計算モジュールはこれらの位置決め点を識別して、位置決め点と爪との位置関係を算出する。爪の後部の皮膚と爪の位置が固定であるので、爪と位置決め点との位置関係も固定である。爪の後部の皮膚は爪が存在する指節の爪に近い位置の皮膚である。位置決め点の位置が変化すると、爪の位置も変化して、且つ位置決め点の位置変化の情況により爪の位置変化の情況を算出する。このように、位置決め点の位置の変化により爪の位置の変化を確定する。位置決め点の識別が爪の識別に比較してもっと安いから、実時に爪の位置変化を識別する効率を向上し、ペンキ塗り実施過程の精確度を向上する。
【００７５】
本発明の美爪装置に基づく健康管理方法は、以下のステップを備える。
【００７６】
a.インテリジェント端末と測量エアブラシ装置を接続する。
【００７７】
b.インテリジェント端末における美爪応用モジュールを起動して、美爪応用モジュールとサーバーサイドとを接続する。
【００７８】
c.ユーザーが指を測量エアブラシ装置に置いて、美爪応用モジュールは爪情報採集モジュールが爪の情報を採集するように制御する。
【００７９】
d.美爪応用モジュールは採集されたユーザーの爪の情報をサーバーサイドの爪三次元形態計算モジュールと／又は健康管理モジュールにアップロードする。
【００８０】
e.爪三次元形態計算モジュールはユーザーの爪の三次元形態を算出して、且つ爪の三次元形態情報を健康管理モジュールに伝送する。
【００８１】
f.健康管理モジュールはユーザー爪の図像情報と／又は三次元形態によりユーザーの健康情況を判断する。
【００８２】
g.健康管理モジュールはユーザーの健康情報をインテリジェント端末に伝送してユーザーに展示する。
【００８３】
ただし、a、bステップの順序は交換してもよく、eステップが省略してもおく、gステップも省略してもよい。
【００８４】
本発明の美爪装置に基づく情報プッシュ方法は、以下のステップを備える。
【００８５】
a.インテリジェント端末における美爪応用モジュールを起動して、美爪応用モジュールとサーバーサイドとを接続する。
【００８６】
b.ユーザーがサーバーサイドのユーザー管理モジュールに登録する。
【００８７】
c.ユーザー管理モジュールはユーザーの個人特徴と／又は健康情況、と／又は前記美爪応用の特徴、と／又は発送された情報に対する反応に対して、ビッグデータ分析をしてユーザーの好き好みと／又は消費需要を判断する。
【００８８】
d.情報プッシュモジュールは、ユーザーの好き好みと／又は消費需要により前記インテリジェント端末の前記美爪応用は前記ユーザーの好き好みと／又は消費需要に対して情報をプッシュする。
【００８９】
ただし、bステップを省略してもよく、cステップもしょうりゃくしてもよい。
【符号の説明】
【００９０】
１  スマートフォン
２  サーバーサイド
３  測量エアブラシ装置
５  ユーザーの指
５１  点
５３  点
７０  爪情報採集モジュール
１０１  カメラ
１０３  美爪ＡＰＰ応用モジュール
１０５  タッチパネル
１１１  測量管理モジュール
１１３  サーバ接続モジュール
１１５  ヒューマンコンピュータインタラクション管理モジュール
１１７  エアブラシ管理モジュール
１２１  ＵＳＢインターフェースデータライン
１２３  無線方式
２０１  爪パターンベース
２０３  爪三次元形態計算モジュール
２０５  ペンキ塗り実施方案生成モジュール
２０７  健康管理モジュール
２０９  ユーザー管理モジュール
２１１  無料ベース
２１３  有料ベース
２１５  ユーザーアップロードベース
２１９  情報プッシュモジュール
３０１  制御モジュール
３０３  赤外線光源
３０５  インテリジェント端末止め機構
３０７  指止め機構
３０９  ミラーアセンブリ
３１１  レーザー走査機構
３１３  ペンキ塗り実行機構
３２１  図像採集装置
３０７１  指止め機構
３０７２  指止め機構
３０７３  指止め機構
３０９１  ミラー
３０９２  ミラー
３０９３  ミラー
３０９４  ミラー
３０９５  ミラー
３０９６  ミラー
３０９７  走査ミラーアセンブリ
３１１１  レーザー源
【図１】
0006620952.tif 000002
【図２】
0006620952.tif 000003
【図３】
0006620952.tif 000004
【図４】
0006620952.tif 000005
【図５】
0006620952.tif 000006
【図６】
0006620952.tif 000007